(57)【要約】【課題】所要平面面積を小型化するために空調ユニット部を２段重ねに組み合わせた空気調和機において、ドレン水を支障なく処理可能とした空気調和機を提供すること。【解決手段】本発明に係る空気調和機は、送風機及び熱交換器を収納した構成部分である空調ユニット部Ａ、Ｂを上下に配置した空気調和機であって、上下の空調ユニット部Ａ、Ｂそれぞれの下方部にドレンパン２３、２４を設けるとともに、上方の空調ユニット部Ｂのドレンパン２３を上下の空調ユニット部Ａ、Ｂ間の仕切板に兼用する。このようにすることにより、上方の空調ユニット部で発生したドレン水の飛散及び漏出の防止、機能の兼用による構成の簡略化、仕切板の強度向上及び強度部材としての活用などの効果を奏することができる。【選択図】図１
2007263430.tif 000002
【特許請求の範囲】
【請求項１】
送風機及び熱交換器を収納した構成部分である空調ユニット部を上下に配置した空気調和機であって、上下の空調ユニット部それぞれの下部にドレンパンを設けるとともに、上方の空調ユニット部のドレンパンを上下の空調ユニット部間の仕切板に兼用したことを特徴とする空気調和機。
【請求項２】
前記上方の空調ユニット部のドレンパンと下方の空調ユニット部のドレンパンとの間に、上方の空調ユニット部のドレンパンに貯留されたドレン水を下方の空調ユニット部のドレンパンに移送するドレン配管を設けたことを特徴とする請求項１記載の空気調和機。
【発明の詳細な説明】
【技術分野】
【０００１】
本発明は、空気調和機に関し、特に、送風機及び熱交換器を収納した構成部分である空調ユニット部を上下２段に積み重ねた空気調和機に関する。
【背景技術】
【０００２】
空気調和機としては空冷式セパレート型空気調和機が一般化している。また、この空冷式セパレート型空気調和機の室内ユニットにおいては、室内との調和を重視するために小型化が研究されている。特に、床置形空気調和機の場合には据付面積、すなわち平面面積を小型化する試みが行われている。このような空気調和機として特許文献１に記載された空気調和機を例示することができる。
【０００３】
この空気調和機は、本体ケーシングの高さ方向の略中央部に水平の仕切板を配置して、その上下に略同構成の空調ユニット部を配置している。この空気調和機は、空調ユニット部を２段に積み重ねた構成を採用することにより、空気調和機の平面面積（床置形空気調和機の場合は所要床面積に相当する）を小型化したものである。
【特許文献１】特開２００６−２９７０２号公報（第９−１０頁、図７（ａ））
【発明の開示】
【発明が解決しようとする課題】
【０００４】
この特許文献１に記載された空気調和機では、上下の空調ユニット部間に配置された仕切板により、上下の空調ユニット部に収納される室内ファンの吹出空気の干渉を防止している。したがって、この空気調和機の場合は、上下に配置された室内ファンの吹出気流の干渉による音の発生及び室内ファンの効率の低下を防止することができる。しかしながら、この空気調和機では、各空調ユニット部でドレン水が発生した場合の処理については検討されていない。
【０００５】
本発明は、従来技術に存在するこのような問題点に着目してなされたものであって、所要平面面積を小型化するために空調ユニット部を２段重ねに組み合わせた空気調和機において、ドレン水を支障なく処理可能とした空気調和機を提供することを目的とする。
【課題を解決するための手段】
【０００６】
上記課題を解決するために本発明に係る空気調和機は、送風機及び熱交換器を収納した構成部分である空調ユニット部を上下に配置した空気調和機であって、上下の空調ユニット部それぞれの下方部にドレンパンを設けるとともに、上方の空調ユニット部のドレンパンを上下の空調ユニット部間の仕切板に兼用したことを特徴とする。
【０００７】
本発明に係る空気調和機は、このように構成されることにより、上方の空調ユニット部で発生したドレン水を、上方の空調ユニット部のドレンパンで受けるため、万一、熱交換器からドレン水が飛散した場合にも落下距離を短くすることができる。仮に、ドレンパンを空気調和機の本体ケーシングの下方部にのみに設けた場合は、上方の空調ユニット部で飛散したドレン水の落下距離が長くなるため、吹出気流の影響を受けて機外に飛び出し、あるいは外装ケーシングの内壁に付着したドレン水が外部にしみ出たりするおそれがあるが、本発明の場合はそのようなおそれを緩和することができる。また、ドレンパンを仕切板兼用とすることにより、ドレンパンと仕切板とを同一部材で実現するため構成が簡略化される。また、仕切板がドレンパンの機能を持つためには、周囲に立上壁が形成されるので、この立上壁により仕切板の強度が向上する。このため、上方の空調ユニット部のドレンパンを、空気調和機の本体ケーシングにおける主要な強度部材として活用できる。
【０００８】
また、上記構成において、上方の空調ユニット部のドレンパンと下方の空調ユニット部のドレンパンとの間に、上方の空調ユニット部のドレンパンに貯留されたドレン水を下方の空調ユニット部のドレンパンに移送するドレン配管を設けてもよい。このように構成すると、ドレン水を、下方の空調ユニット部のドレンパンから一本化して排水することができるので、空気調和機の構成を簡略化するとともに、現地配管工事を簡略化することができる。
【発明の効果】
【０００９】
本発明に係る空気調和機によれば、上方に配置されている空調ユニット部で発生するドレン水の飛散又は漏出のおそれを緩和することができる。また、ドレンパンを仕切板兼用とすることにより、ドレンパンと仕切板とを同一部材で実現するため構成が簡略化されるとともに、仕切板の強度が向上する。したがって、上方の空調ユニット部のドレンパンを本体ケーシングの強度部材として活用することができる。
【発明を実施するための最良の形態】
【００１０】
以下、この発明の実施の形態に係る空気調和機について、図１〜図３に基づき説明する。
本実施の形態に係る空気調和機は、セパレート型空気調和機の床置形室内ユニットであって、図２にその外観斜視図を示すように、外装ケーシング１が本体ケーシング２とその前面を覆うように取り付けられている前面パネル３とから構成されている。また、上下に構成される空調ユニット部Ａ、Ｂは、図３に空調ユニット部Ａ、Ｂの平断面図を示すとともに、図１に前面開放の斜視図、すなわち、前面パネル３と室内ファンのベルマウスとを取り外した状態の斜視図、を示すように、略同一に形成されている。
【００１１】
本実施の形態に係る空気調和機は、図１に示すように、本体ケーシング２は、縦長箱型状に形成され、平断面で見て内壁に断熱材を貼り付けた断熱材壁２１が形成されている。断熱材壁２１の左右の各側面から背面にかけてのコーナ部２２は、それぞれ円弧状の内面に形成されている。また、本体ケーシング２は、高さ方向の略中央部で上下に分割され、上方部を上方の空調ユニット部Ａとし、下方部を下方の空調ユニット部Ｂとしている。そして、上方の空調ユニット部Ａの下部にドレンパン２３を配置し、このドレンパン２３を、上下の空調ユニット部Ａ、Ｂ間の仕切板として兼用させている。また、本体ケーシング２の最下部には、この空気調和機を設置するときの基礎部材となる底フレーム２４が配置されている。そして、下方の空調ユニット部Ｂのドレンパン２５をこの底フレーム２４内部に形成している。
【００１２】
各空調ユニット部Ａ、Ｂは、図１及び図３に示すように、中央部に室内ファンとしての遠心ファン４０、より具体的にはターボファンが配置されている。遠心ファン４０は、羽根車４１の回転軸４２を前後方向とするとともに、吸入口を成すベルマウス４３が前面側に取り付けられ（図３参照）、羽根車４１のハブ４４が本体ケーシング２の背面に沿う形態で取り付けられている。この遠心ファン４０を駆動するファンモータ４５は、プリントモータのような薄型モータが使用され、ハブ４４の背面側の本体ケーシング２に取り付けられている。
【００１３】
遠心ファン４０は、羽根車４１の上下の空間を小さくすることにより、羽根車４１に吸入された空気を、羽根車４１の半径方向であって、正面から見て羽根車４１の左右の方向に吐出するように構成されている。そして、前面パネル３の両端部には室内吹出口３１が形成されており、本体ケーシング２内には、遠心ファン４０から室内吹出口３１に至る通風路２６が形成されている。この通風路２６における各コーナ部２２は、前述のように円弧状の内面を有するように形成され、通風路２６における通風抵抗を軽減している。
【００１４】
左右の通風路２６には、室内側熱交換器２７がそれぞれ配置されている。この室内側熱交換器２７としては、扁平チューブ間にコルゲートフィンを介在させたコルゲートフィン式熱交換器や、平板状フィンを用いたクロスフィンコイル式熱交換器などを用いることができる。
【００１５】
前面パネル３は、上方の空調ユニット部Ａの前面を覆う上部前面パネル３ａと下方の空調ユニット部Ｂの前面を覆う下部前面パネル３ｂとから構成されている。そして。上部前面パネル３ａ及び下部前面パネル３ｂは、遠心ファン４０のベルマウス４３に対応する位置、すなわち、上部前面パネル３ａ及び下部前面パネル３ｂの略中央部に室内吸込口３２を有し、この室内吸込口３２を挟んで両端部に縦長の室内吹出口３１が設けられている。そして、室内吸込口３２には水平方向の固定羽根が取り付けられ、室内吹出口３１には上下方向に向きを変化することのできる風向羽根が取り付けられている。なお、室内吹出口３１の内部に、左右方向に風向を変化させるための風向羽根を取り付けてもよい。
【００１６】
上方の空調ユニット部Ａで発生するドレン水は、空調ユニット部Ａのドレンパン２３に受けられ、下方の空調ユニット部Ｂで発生したドレン水は底フレーム２４に形成されている下方のドレンパン２５で受けられる。また、ドレンパン２３の側部には、貯留されたドレン水を下方のドレンパン２５に移送するためのドレン配管２８が設けられている。また、下方のドレンパン２５の側部には、このドレンパン２５に貯留されたドレン水を排水するためのドレン水排出口２９が設けられている。
【００１７】
上記のように構成された各空調ユニット部Ａ、Ｂは、図示しない１台の室外ユニットに並列接続され、個別に発停可能並びに風量等の制御可能に構成されている。また、この空調ユニット部Ａ、Ｂを操作するリモコン（図示せず）は、各空調ユニット部Ａ、Ｂ用に形成された一対のものとするか、共通的に使用するもの１個とするかの何れかに構成されている。
【００１８】
次に、本実施の形態に係る空気調和機の吹出気流の流れ及びドレン水の処理について説明する。
リモコンの操作により各空調ユニット部Ａ、Ｂが冷房又は除湿運転が行われると、各遠心ファン４０が運転され、各室内吸込口３２から室内空気が吸い込まれる。吸い込まれた室内空気は、通風路２６に流れ、室内側熱交換器２７で冷却又は除湿された後、各空調ユニット部Ａ、Ｂの左右に設けられた室内吹出口３１から吹き出される。この通風経路は空調ユニット部Ａのドレンパン２３により仕切られているので、各遠心ファン４０からの吹出気流が相互に干渉すること無しに運転される。また、上下の遠心ファン４０からに吹出気流は、通風路２６におけるコーナ部２２が円弧状の曲面に形成されているので、通風路２６の通風抵抗が軽減されている。
【００１９】
また、各空調ユニット部Ａ、Ｂでは、室内空気が室内側熱交換器２７で冷却除湿されることにより、室内側熱交換器２７で空気中の水分が凝縮し、ドレン水が発生する。上方の空調ユニット部Ａで発生したドレン水は上方のドレンパン２３で受け留められ、下方の空調ユニット部Ｂで発生したドレン水は下方のドレンパン２５で受け留められる。そして、上方のドレンパン２３に貯留されたドレン水はドレン配管２８を経由して下方のドレンパン２５に移送される。さらに、上下の空調ユニット部Ａ、Ｂで発生したドレン水がこのドレンパン２５に取り付けられているドレン水排出口２９から外部に排出される。
【００２０】
本実施の形態に係る空気調和機は、以上のように構成されるので、次のような作用効果を奏することができる。
（１）各遠心ファン４０から吹き出される吹出気流は、相互に干渉することなく室内吹出口３１から吹き出されるので、吹出気流の相互干渉による音の発生及び効率の低下がない。
【００２１】
（２）上方の空調ユニット部Ａで発生したドレン水を、上方のドレンパン２３で受けるため、万一、熱交換器からドレン水が飛散した場合にも落下距離を短くすることができる。仮に、最下部で上方の空調ユニット部Ａのドレン水と、下方の空調ユニット部Ｂのドレン水を受けるようにした場合は、上方の空調ユニット部Ａで飛散したドレン水の落下距離が長くなる。このため、吹出気流の影響を受けて機外に飛び出したり、外装ケーシングの内壁に付着したりして、ドレン水が外部に漏出するおそれがあるが、本発明の場合はそのようなおそれを緩和することができる。
【００２２】
（３）また、ドレンパン２３を仕切板兼用とすることにより、ドレンパンと仕切板とを同一部材で実現するため構成が簡略化される。
（４）また、仕切板がドレンパンの機能を持つためには、周囲に立上壁が形成されるので、この立上壁により仕切板の強度が向上する。このため、上方の空調ユニット部Ａのドレンパン２３を、空気調和機の本体ケーシング２における主要な強度部材として活用できる。
【００２３】
（５）本実施の形態においては、上述のように、上方の空調ユニット部Ａのドレンパン２３と下方の空調ユニット部Ｂのドレンパン２５との間に、上方の空調ユニット部Ａのドレンパン２３に貯留されたドレン水を下方の空調ユニット部Ｂのドレンパン２５に移送するドレン配管２８が設けられている。したがって、ドレン水を、下方の空調ユニット部Ｂのドレンパン２５から一本化して排水することができるので、空気調和機の構成を簡略化するとともに、現地配管工事を簡略化することができる。
【００２４】
（６）上記実施の形態によれば、室内ユニットは１台であるが、区域毎に吹出空気の風速を選択したり、あるいは室内吹出口３１毎に吹出空気の風向を変更したり、吹出空気の温度を変更したりすることができるので、複数台の室内ユニットを設置しているのと同様の使い分けをすることができる。
【００２５】
（７）各空調ユニット部Ａ、Ｂにおいて、遠心ファン４０と室内側熱交換器２７とが横方向に並べられる構成となっているので、遠心ファン４０における羽根車４１の軸方向の寸法及び室内側熱交換器の前後方向の寸法により空気調和機の奥行き寸法を定めることができる。したがって、遠心ファン４０における羽根車４１の軸方向の所要寸法及び室内側熱交換器の前後方向の寸法を抑えることにより空気調和機を薄型化することができる。
【００２６】
（変形例）
（１）本実施の形態に係る空気調和機は床置形として形成されているが、本発明思想を適用して、底フレーム２４を除外したような形態として壁掛け型空気調和機とすることもできる。
【００２７】
（２）下方のドレンパン２５のドレン水排出口２９を底フレーム２４の側部から外方に出しているが、底フレーム２４内において、背面側、あるいは左右の側面にドレン配管を導出可能とするように、配管を引き回すスペースを底フレーム２４の内部に設けてもよい。このようにすれば、どのような据付状態においても機外に接続するドレン配管を室内に目立たなくすることができる。
【００２８】
（３）上記実施の形態においては、遠心ファン４０としてターボファンを用いていたが、これに代えシロッコファン、ラジアルファンなどの他の遠心ファンを用いてもよい。
（４）上記実施の形態においては、室外ユニットは１台であったが、空調ユニット部に対し専用の室外ユニットを接続するように構成することもできる。
【００２９】
（５）上記実施の形態においては、室内吸込口３２として水平方向の固定羽根を取り付けたものを例示したが、これは単なる一例であって、室内吸込口３２としては、目立たないように開口された構造のものや、適宜の方法で開閉するように構成されているものや、他形状のグリル構造のものなど適宜のものを用いることができる。
【産業上の利用可能性】
【００３０】
本発明は、家庭用エアコン、オフィスビル、ホテル、飲食店などの業務用エアコンなどに適用することができる。
【図面の簡単な説明】
【００３１】
【図１】本発明の実施の形態に係る空気調和機の前面開放状態の斜視図である。
【図２】同空気調和機用の外観斜視図である。
【図３】同空気調和機用における空調ユニット部の平断面図である。
【符号の説明】
【００３２】
Ａ、Ｂ…空調ユニット部、２３、２５…ドレンパン、２８…ドレン配管。
【図１】
2007263430.tif 000003
【図２】
2007263430.tif 000004
【図３】
2007263430.tif 000005